(57)【要約】【課題】一般に入手可能な通常のネクタイを用い、容易に装用することができるネクタイ装用方法を提供し、このネクタイ装用方法の実施に好適なネクタイ装用具を提供する。【解決手段】ネクタイ１において、通常の結び方によって結び目２を作り、結び目２から左右に延在された部分によって形成されたリング部３の最後部４を結び目２の後面部に接近させ、結び目から右側に延在されたリング部３の右側半分の右端部３ａにネクタイ装用具５の右端部５ａを係合させるとともに、結び目２から左側に延在されたリング部３の左側半分の左端部３ｂにネクタイ装用具５の左端部５ｂを係合させ、結び目２の後面部及びリング部３の最後部４を装用者の首の前部に位置させ、ネクタイ装用具５を装用者の首の後部に位置させて、ネクタイ１を装用する。【選択図】図７
2018094270.tif 000002
【特許請求の範囲】
【請求項１】
ネクタイ（フォア・イン・ハンド・タイ）において、プレーンノット、セミウィンザーノット、ウィンザーノット、ダブルノットなどの通常の結び方によって結び目を作り、
前記結び目から左右に延在された部分によって形成されているリング部の最後部を前記結び目の後面部に接近させ、
前記結び目から右側に延在された前記リング部の右側半分の右端部に、紐状のネクタイ装用具の右端部を係合させるとともに、前記結び目から左側に延在された前記リング部の左側半分の左端部に、前記ネクタイ装用具の左端部を係合させ、
前記結び目の後面部及び前記リング部の最後部を装用者の首の前部に位置させ、前記ネクタイ装用具を前記装用者の首の後部に位置させることにより、前記ネクタイを前記装用者の首の前部から胸前にかけて装用する
ことを特徴とするネクタイ装用方法。
【請求項２】
前記ネクタイ装用具は、長さ調節機構を有し、長さ調節が可能となっている
ことを特徴とする請求項１記載のネクタイ装用方法。
【請求項３】
前記ネクタイ装用具は、少なくとも一部が弾性材料により形成されており、伸ばされたときに弾性的に所定の長さまで縮む
ことを特徴とする請求項１、または、請求項２記載のネクタイ装用方法。
【請求項４】
請求項１乃至請求項３のいずれか一に記載のネクタイ装用方法を実施するためのネクタイ装用具であって、
紐状に形成され、両端部に前記ネクタイの前記リング部に係合する係合部材を備えている
ことを特徴とするネクタイ装用具。
【発明の詳細な説明】
【技術分野】
【０００１】
本発明は、通常のネクタイを用いて容易に装用することができるネクタイ装用方法及びネクタイ装用具に関する。
【背景技術】
【０００２】
職場や職種によっては、業務中のネクタイの装用が義務づけられている。その場合、業務の開始時におけるネクタイの装用も業務の一環であり、ネクタイの装用に長時間を要すると、業務効率の低下を招来することになる。一般的なネクタイであるフォア・イン・ハンド・タイ（four-in-hand-tie）は、装用にある程度の時間を要し、人によってはかなりの時間を要する場合がある。
【０００３】
また、近年のいわゆる「クールビズ」の導入により、業務中でも通常はネクタイを装用しておらず、必要なときにその都度装用することが広く行われている。この場合、業務中に頻繁にネクタイの着脱を繰り返すことになり、装用に長時間を要すると、業務効率の低下が招来される。
【０００４】
従来、ネクタイ（フォア・イン・ハンド・タイ（four-in-hand-tie））の装用を容易化するため、種々の提案がなされている（特許文献１〜５）。これらの提案は、予め結び目または結び目の形状が形成されたネクタイ本体を、このネクタイ本体とは別体の紐またはベルトによって、首回りに装用する装用方法である。
【０００５】
紐またはベルトの両端部は、ネクタイ本体の結び目部分の左右に連結されている。紐またはベルトは、途中部分が着脱可能であったり、長さ調節が可能であったりする。
【０００６】
ネクタイ本体の結び目部分を首の前部に位置させ、紐またはベルトを首回りに回らせることによって、ネクタイ本体が装用された状態となる。
【先行技術文献】
【特許文献】
【０００７】
【特許文献１】特開平０８−２０９４１６号公報
【特許文献２】特開２００２−３３９１２８号公報
【特許文献３】特開２００３−１５５６１３号公報
【特許文献４】特開２０１６−１５１０８３号公報
【特許文献５】特開２０１６−１５１０８４号公報
【発明の概要】
【発明が解決しようとする課題】
【０００８】
ところで、特許文献１〜５に記載された装用方法においては、ネクタイ本体は、この装用方法のために専用に作成されたものでなければならず、一般に販売されている通常のネクタイ（フォア・イン・ハンド・タイ）を使用することはできない。
【０００９】
このように専用に作成されたネクタイ本体は、当然のことながら形状（幅）や色、柄が限定されてしまい、好みの形状（幅）や色、柄のネクタイを装用することができない。
【００１０】
また、一般のネクタイには、プレーンノット、セミウィンザーノット、ウィンザーノット、ダブルノットといったいろいろな結び方があり、同じネクタイであっても、結び方を変えることによって結び目の大きさや形状を異ならせ、与える印象を変えるることができる。しかし、前述のような特殊な装用方法のために作成されたネクタイ本体においては、結び目の大きさや形状を異ならせることはできない。
【００１１】
そこで、本発明は、一般に入手可能な通常のネクタイ（フォア・イン・ハンド・タイ）を用いながら、容易に装用することができるネクタイ装用方法を提供し、また、このネクタイ装用方法を実施するために好適なネクタイ装用具を提供することを課題とする。
【課題を解決するための手段】
【００１２】
本発明は、上記課題を解決し上記目的を達成するため、以下の構成を有するものである。
【００１３】
〔構成１〕
本発明に係るネクタイ装用方法は、ネクタイ（フォア・イン・ハンド・タイ）においてプレーンノット、セミウィンザーノット、ウィンザーノット、ダブルノットなどの通常の結び方によって結び目を作り、結び目から左右に延在された部分によって形成されているリング部の最後部を結び目の後面部に接近させ、結び目から右側に延在されたリング部の右側半分の右端部に紐状のネクタイ装用具の右端部を係合させるとともに、結び目から左側に延在されたリング部の左側半分の左端部にネクタイ装用具の左端部を係合させ、結び目の後面部及びリング部の最後部を装用者の首の前部に位置させ、ネクタイ装用具を装用者の首の後部に位置させることにより、ネクタイを装用者の首の前部から胸前にかけて装用することを特徴とするものである。
【００１４】
〔構成２〕
本発明に係るネクタイ装用方法は、構成１を有するネクタイ装用方法において、ネクタイ装用具は、長さ調節機構を有し、長さ調節が可能となっていることを特徴とするものである。
【００１５】
〔構成３〕
本発明に係るネクタイ装用方法は、構成１、または、構成２を有するネクタイ装用方法において、ネクタイ装用具は、少なくとも一部が弾性材料により形成されており、伸ばされたときに弾性的に所定の長さまで縮むことを特徴とするものである。
【００１６】
〔構成４〕
本発明に係るネクタイ装用具は、構成１乃至構成３のいずれか一を有するネクタイ装用方法を実施するためのネクタイ装用具であって、紐状に形成され、両端部にネクタイのリング部に係合する係合部材を備えていることを特徴とするものである。
【発明の効果】
【００１７】
構成１を有するネクタイ装用方法においては、結び目から右側に延在されたリング部の右側半分の右端部に紐状のネクタイ装用具の右端部を係合させるとともに、結び目から左側に延在されたリング部の左側半分の左端部にネクタイ装用具の左端部を係合させ、結び目の後面部及びリング部の最後部を装用者の首の前部に位置させ、ネクタイ装用具を装用者の首の後部に位置させることにより、ネクタイを装用者の首の前部から胸前にかけて装用するので、ネクタイの装用の都度に結び目を作る必要がなく、装用に要する時間を短縮することができる。
【００１８】
構成２を有するネクタイ装用方法においては、ネクタイ装用具は、長さ調節機構を有し、長さ調節が可能となっているので、ネクタイ装用具をネクタイに係合させたままで、ネクタイ装用具を伸長させて装用者に対して着脱することができる。
【００１９】
構成３を有するネクタイ装用方法においては、ネクタイ装用具は、少なくとも一部が弾性材料により形成されており、伸ばされたときに弾性的に所定の長さまで縮むので、ネクタイ装用具をネクタイに係合させたままで、ネクタイ装用具を伸長させて装用者に対して着脱することができる。
【００２０】
構成４を有するネクタイ装用具においては、紐状に形成され、両端部にネクタイのリング部に係合する係合部材を備えているので、ネクタイのリング部の右端部及び左端部に係合することができる。
【００２１】
すなわち、本発明は、一般に入手可能な通常のネクタイ（フォア・イン・ハンド・タイ）を用いながら、容易に装用することができるネクタイ装用方法を提供し、また、このネクタイ装用方法を実施するために好適なネクタイ装用具を提供することができるものである。
【００２２】
本発明によれば、業務中のネクタイの装用が義務づけられている職場や職種においても、ネクタイの装用が短時間で済み、業務効率が向上する。いわゆる「クールビズ」の導入により、必要なときのみにその都度ネクタイを装用する場合のように、業務中に頻繁にネクタイの着脱を繰り返しても、ネクタイの装用が短時間で済むので、業務効率が低下することがない。
【図面の簡単な説明】
【００２３】
【図１】本発明に係るネクタイ装用方法において使用されるネクタイの構成（結んだ状態）を示す斜視図である。
【図２】図１に示したネクタイのリング部を拡張した状態を示す斜視図である。
【図３】図１に示したネクタイのリング部を結んだ状態に戻した斜視図である。
【図４】図１に示したネクタイのリング部をつぶした状態を示す斜視図である。
【図５】図１に示したネクタイのリング部にネクタイ装用具を係合させた状態を示す斜視図である。
【図６】図１に示したネクタイのリング部にネクタイ装用具を係合させた状態の他の例を示す斜視図である。
【図７】図１に示したネクタイを本発明に係るネクタイ装用方法により装用した状態を示す斜視図である。
【発明を実施するための形態】
【００２４】
以下、本発明に係るネクタイ装用方法の実施の形態について、図面を参照しながら説明する。
【００２５】
図１は、本発明に係るネクタイ装用方法において使用されるネクタイの構成（結んだ状態）を示す斜視図である。
【００２６】
本発明は、図１に示すネクタイ（フォア・イン・ハンド・タイ）１を迅速、かつ、容易に装用することができるネクタイ装用方法である。
【００２７】
この装用方法においては、まず、図１に示すように、  ネクタイ１において、プレーンノット、セミウィンザーノット、ウィンザーノット、ダブルノットなどの通常の結び方により、結び目２を作る。結び目２を作るには、通常の通りに装用者１０１の首回りにネクタイ１を巻き付けて結んでもよいし、装用者１０１から離して空中で結んでもよい。ただし、装用者１０１の首回りにネクタイ１を巻き付けて結んだほうが、結び目２の位置や形を実際の装用時と同じにできるので好ましい。
【００２８】
図２は、図１に示したネクタイのリング部を拡張した状態を示す斜視図である。
【００２９】
装用者１０１の首回りにネクタイ１を巻き付けて結び目２を作った場合には、図２に示すように、小剣１ｂのみを結び目２に対して上方に移動させて、リング部３を拡張させる。このとき、大剣１ａと結び目２との位置関係は変えない。リング部３は、結び目２から左右に延在された部分によって形成されているものである。
【００３０】
リング部３が拡張されることにより、ネクタイ１は、結び目２が作られた状態のままで、装用者１０１の首回りから上方に外すことができる。
【００３１】
図３は、図１に示したネクタイのリング部を結んだ状態に戻した斜視図である。
【００３２】
ネクタイ１を装用者１０１の首回りから外し、図３に示すように、リング部３を結んだ状態に戻す。つまり、小剣１ｂのみを結び目２に対して下方に移動させて、リング部３を図１に示した元の状態まで縮小させる。
【００３３】
図４は、図１に示したネクタイのリング部をつぶした状態を示す斜視図である。
【００３４】
次に、図４に示すように、リング部３の最後部４を結び目２の後面部に接近させる。つまり、リング部３を前後につぶす。
【００３５】
図５は、図１に示したネクタイのリング部にネクタイ装用具を係合させた状態を示す斜視図である。
【００３６】
そして、図５に示すように、結び目２から右側に延在されたリング部３の右側半分の右端部３ａに、ネクタイ装用具５の右端部５ａを係合させるとともに、結び目２から左側に延在されたリング部３の左側半分の左端部３ｂにネクタイ装用具５の左端部５ｂを係合させる。
【００３７】
ネクタイ装用具５は、このネクタイ装用方法を実施するために作成されたものである。このネクタイ装用具５は、紐状に構成され、両端部にネクタイ１のリング部３に係合する一対の係合部材６，６を備えている。係合部材６，６は、一般的なフックでよい。
【００３８】
ネクタイ装用具５は、長さ調節機構を有し、長さ調節が可能となっている。長さ調節機構としては、ネクタイ装用具５の一部に重なり部分を設けて、この重なり部分をベルト止め７によって固定する構造が採用できる。重なり部分は、ネクタイ装用具５を切断して切断部の両側部分を重ねてもよいし、切断することなく２箇所を折り返して重ねてもよい。ベルト止め７は、重なり部分を固定することができ、ネクタイ装用具５に対して傾ければ固定を緩めることができる。固定を緩めた状態で長さを調節し、調節できたところでベルト止め７によって固定すればよい。
【００３９】
また、ネクタイ装用具５は、少なくとも一部をゴムやバネ等の弾性材料により形成し、伸ばされたときに弾性的に所定の長さ（元の長さ）まで縮むようにしてもよい。
【００４０】
図６は、図１に示したネクタイのリング部にネクタイ装用具を係合させた状態の他の例を示す斜視図である。
【００４１】
ネクタイ装用具５は、中途部を接離可能（接続及び切離が可能）に構成してもよい。接離可能な構成としては、バックル８を用いることができる。
【００４２】
図７は、図１に示したネクタイを本発明に係るネクタイ装用方法により装用した状態を示す斜視図である。
【００４３】
そして、図５に示すようにネクタイ装用具５を伸長させ、または、図６に示すようにネクタイ装用具５の中途部を切離させて、図７に示すように、結び目２の後面部及びリング部３の最後部４を装用者１０１の首の前部に位置させ、ネクタイ装用具５を装用者１０１の首の後部に位置させる。
【００４４】
この状態で、図７に示すように、ネクタイ装用具５を長さ調節機構により短くし、または、弾性材料による弾性力により短くし、あるいは、中途部を接続させることにより、ネクタイ１は、装用者１０１の首の前部から胸前にかけて装用される。
【００４５】
また、ネクタイ装用具５を長さ調節機構により長くし、または、弾性材料による弾性力に抗して長くし、あるいは、中途部を接離させることにより、ネクタイ１は、装用者１０１から外されることができる。
【００４６】
次回の装用からは、図５、または、図６に示す状態と、図７に示す状態との往復により、ネクタイ１の装用及び取り外しができる。すなわち、取り外したネクタイ１は、図５及び図６に示すように、結び目２を作りリング部３を前後につぶした状態で、リング部３の右端部３ａ及び左端部３ｂ間にネクタイ装用具５が係合された状態としておく。そして、装用するときには、結び目２の後面部及びリング部３の最後部４を装用者１０１の首の前部に位置させ、ネクタイ装用具５を装用者１０１の首の後部に位置させ、ネクタイ装用具５を短くし、または、中途部を接続するだけで、装用が完了する。
【符号の説明】
【００４７】
１    ネクタイ
１ａ  大剣
１ｂ  小剣
２    結び目
３    リング部
３ａ  リング部の右端部
３ｂ  リング部の左端部
４    最後部
５    ネクタイ装用具
５ａ  ネクタイ装用具の右端部
５ｂ  ネクタイ装用具の左端部
６    係合部材
７    ベルト止め
８    バックル
１０１    装用者
【図１】
2018094270.tif 000003
【図２】
2018094270.tif 000004
【図３】
2018094270.tif 000005
【図４】
2018094270.tif 000006
【図５】
2018094270.tif 000007
【図６】
2018094270.tif 000008
【図７】
2018094270.tif 000009